(57)【要約】【課題】携帯機器のデザイン性を損なうことなく、ユーザが自由に携帯機器の外観を容易にカスタマイズすることを可能とする。【解決手段】装飾取付具１は、ノートパソコン３の載置面３４との間にシート状の装飾具２を保持して、該載置面３４を覆うカバー部１１と、該カバー部１１と一体に形成された、ノートパソコン３の角部３５と係合する係合部１０…とを備えている。係合部１０の側端１５は、角部３５の載置面３４の周端に沿って、アールの終端位置に一致するか、または、係合部１０が形成されていない部分（非係合部１３）が形成される程度にアールの終端位置よりも長く形成されている。これにより、装飾具の交換の際に、装飾取付具を容易に着脱することができる。【選択図】図１
2010226203.tif 000002
【特許請求の範囲】
【請求項１】
携帯機器の外表面にシート状の装飾具を取り付ける装飾取付具であって、
上記装飾具を取り付ける、複数の角部を有する載置面を覆い、該載置面との間で上記装飾具を保持する、透明性を有するカバー部と、
該カバー部と一体に形成された、上記複数の角部と係合する係合部とを備え、
上記係合部は、上記角部毎に独立して設けられ、
各係合部は、
上記角部の載置面の周方向に、該角部のアールの終端位置までまたは該終端位置を超えて形成されており、
上記載置面に垂直な平面による断面において、上記角部が有するアール形状の上記載置面の対向面側への巻き込み部分に係合することを特徴とする装飾取付具。
【請求項２】
上記カバー部は、上記載置面側に上記装飾具を収容する凹部を有することを特徴とする請求項１に記載の装飾取付具。
【請求項３】
上記載置面が矩形であり、
該矩形の互いに対向する２辺のそれぞれの両端である２対の角部について、
上記角部の対毎に、上記角部に係合する係合部の、上記角部の載置面の周方向の長さを異ならせることを特徴とする請求項１または２に記載の装飾取付具。
【請求項４】
隣接する上記係合部の間に、上記載置面の周端から延出する長さが上記係合部よりも短い非係合部を有するとともに、
上記係合部と上記非係合部との間に、上記係合部の上記長さから、上記非係合部の上記長さまで、上記載置面の周端から延出する長さが滑らかに遷移する境界部を、さらに有することを特徴とする請求項１から３のいずれか１項に記載の装飾取付具。
【発明の詳細な説明】
【技術分野】
【０００１】
本発明は、携帯機器に装飾具を取り付ける携帯機器の装飾取付具に関するものである。
【背景技術】
【０００２】
近年、電子機器の小型化が進み、携帯性に優れた電子機器（携帯機器）が広く普及している。携帯機器は、持ち運ぶときに衝撃を受けて破損するおそれがあるため、従来、携帯機器を保護する目的でカバーが開発されてきた。
【０００３】
携帯機器は、一般に、ユーザ個人の持ち物であり、多くのユーザが、自分の携帯機器にオリジナリティを出したい、他者のものとの差別化を図りたいと望んでいる。そのため、携帯機器のカバーには、機器の外観デザインを、ユーザの好みに応じてカスタマイズできることが要求される。
【０００４】
例えば、特許文献１〜４には、色、模様をカバーに施して、該カバーで携帯機器を被覆することが記載されている。異なる色、模様が施された多種多様なカバーをユーザに提供することにより、ユーザは、自分の好みに合わせて自身の携帯機器の外観をカスタマイズすることができる。さらに、何度でも取り外し可能なカバーであれば、衣服と同じように携帯機器の着せ替えを楽しむことが可能となる。
【０００５】
しかしながら、カバー自体に色、模様が施されている上述の構成では、外観デザインを変更するためには、カバーそのものを別のカバーに取り替える必要がある。そのため、ユーザは、違ったデザインに変更しようとするたびに新しいカバーを購入しなければならなくなる。
【０００６】
これに対し、特許文献５には、携帯電話と透明カバーとの間に、絵・模様・写真などの画像を表示したシートを配置し、このシートおよび透明カバーをネジ止めによって、携帯機器に固定する携帯電話着せ替えカバーが開示されている。
【０００７】
上記構成によれば、ユーザは、簡便にシートを交換し、携帯電話表面のデザインを変更することが可能となる。また、市販のデザインのみならず、ユーザが作成したデザインを用いることも容易となる。
【先行技術文献】
【特許文献】
【０００８】
【特許文献１】特開２０００−１８１５７４号公報（２０００年６月３０日公開）
【特許文献２】実用新案登録第３０７９０１５号公報（２００１年８月３日発行）
【特許文献３】実用新案登録第３０８９５５１号公報（２００２年１０月３１日発行）
【特許文献４】実用新案登録第３１０６２７９号公報（２００４年１２月１６日発行）
【特許文献５】実用新案登録第３１２７６７４号公報（２００６年１２月１４日発行）
【発明の概要】
【発明が解決しようとする課題】
【０００９】
しかしながら、特許文献５に開示されている携帯電話は、透明カバーを固定するためにネジ止めする構成であるが、このためにネジ止め穴を携帯電話本体に設ける必要がある。また、カバーを装着しないときは、ネジ止め穴が目立ち、デザイン性に欠けるという問題がある。さらに、ネジ止めは、持ち運び時にもカバーが外れず、安全性および信頼性の面で有利であるが、シート着せ替えのためにカバーを取り外すときには面倒であるという問題がある。
【００１０】
なお、上記問題は、携帯電話に限らず、持ち運び可能な携帯機器全般に生じる問題である。
【００１１】
本発明は、上記の問題点に鑑みてなされたものであり、その目的は、携帯機器のデザイン性を損なうことなく、ユーザが自由に携帯機器の外観をカスタマイズし、容易に着せ替えすることが可能な携帯機器の装飾取付具を実現することにある。
【課題を解決するための手段】
【００１２】
上記の課題を解決するために、本発明の装飾取付具は、携帯機器の外表面にシート状の装飾具を取り付ける装飾取付具であって、上記装飾具を取り付ける、複数の角部を有する載置面を覆い、該載置面との間で上記装飾具を保持する、透明性を有するカバー部と、該カバー部と一体に形成された、上記複数の角部と係合する係合部とを備え、上記係合部は、上記角部毎に独立して設けられ、各係合部は、上記角部の載置面の周方向に、該角部のアールの終端位置までまたは該終端位置を超えて形成されており、上記載置面に垂直な平面による断面において、上記角部が有するアール形状の上記載置面の対向面側への巻き込み部分に係合することを特徴としている。
【００１３】
上記構成によれば、装飾取付具の係合部は、携帯機器の載置面の角部と係合しているため、ネジ止めを行わずとも、携帯機器を持ち運ぶときに、装飾取付具が意図せず外れることを防止することができるとともに、ユーザが外したいときに容易に取り外すことが可能な装飾取付具を実現することが可能となる。
【００１４】
つまり、装飾取付具の係合部は、上記角部のアール形状を利用して、係合しているのみであって、ネジ止めなどによって固定されていない。さらに、上記係合部は、上記角部毎に独立して設けられ、各係合部は、上記角部の載置面の周方向に、該角部のアールの終端位置までまたは該終端位置を超えて形成されている。つまり、独立して設けられた係合部の角部に沿った係合の長さは、非係合部が装飾取付具の各辺に一定以上確保される程度に抑えられ、必要以上に携帯機器と係合することを防いでいる。
【００１５】
よって、ユーザは、樹脂材で形成された装飾取付具の形状を変化させて、係合部と、角部との係合状態を緩めるだけで、装飾取付具を携帯機器から簡単に取り外すことができる。したがって、装飾具の出し入れが行いやすくなり、携帯機器の着せ替えを容易に行うことが可能となる。
【００１６】
一方、上記構成によれば、係合部は、少なくとも角部の厚さ方向のアール形状と、その全周において密着することにより、角部と係合する。特に、角部の厚さ方向のアール形状のうち、表示面側の巻き込み部分に密着することにより、係合部は角部と安定して係合することができる。これにより、ユーザが、通常使用時（使用時／運搬時）に、非係合部（係合部備えられていないカバー部の一部）に指をかけても装飾取付具が携帯機器から外れることを防ぐことができる。
【００１７】
すなわち、ユーザが非係合部に指をかけることにより、カバー部の一部が、携帯機器（載置面）との接地面と反対の方向に引っ張られると、非係合部の両端に連結している係合部の先端がアールの上記巻き込み部分に引っ掛かるため、係合状態がより強固になる。
【００１８】
これにより、携帯機器の使用時、運搬時には、装飾取付具が携帯機器から外れることを防止することが可能となる。
【００１９】
以上のことから、ネジ止めに頼ることなく携帯機器に安定して取り付けられ、携帯機器のデザイン性を損なうことなく、ユーザが自由に携帯機器の外観をカスタマイズし、容易に着せ替えすることが可能な携帯機器の装飾取付具を実現することが可能になる。
【００２０】
上記カバー部は、上記載置面側に上記装飾具を収容する凹部を有することが好ましい。
【００２１】
上記構成によれば、装飾取付具は、上記装飾具を上記凹部に収容した状態で、携帯機器に取り付けられる。なお、透過性を有するカバー部であって、装飾具の絵柄を透過するので、装飾取付具と携帯機器の間に挿入する装飾具を入れ替えることによって、ユーザが自由に携帯機器の外観をカスタマイズすることが可能となる。
【００２２】
上記装飾取付具において、携帯機器の上記載置面が矩形であり、該矩形の互いに対向する２辺のそれぞれの両端である２対の角部について、上記角部の対毎に、上記角部に係合する係合部の、上記角部の載置面の周方向の長さを異ならせることが可能である。
【００２３】
上記構成によれば、携帯機器と装飾取付具との係合度合いを異ならせることが可能となり、１対の角部において、取り外しやすく、他方の１対の角部において、外れにくいように装飾取付具を携帯機器に取り付けることが可能となる。
【００２４】
これにより、装飾具の出し入れ時の装飾取付具取り外しの容易性を維持しつつ、運搬時などに、より外れにくくすることが可能となる。
【００２５】
上記装飾取付具において、隣接する上記係合部の間に、上記載置面の周端から（図１のＺ方向に）延出する長さが上記係合部よりも短い非係合部を有するとともに、上記係合部と上記非係合部との間に、上記係合部の上記長さから、上記非係合部の上記長さまで、上記載置面の周端から延出する長さが滑らかに遷移する境界部をさらに有していてもよい。
【００２６】
上記構成によれば、係合部と非係合部との境目に段差が形成されることがなくなる。これにより、ユーザが装飾取付具を取り外す際に、装飾取付具の角部を変形させることで生じる負荷によって、段差から亀裂が入ることを防止することが可能となる。
【発明の効果】
【００２７】
本発明の装飾取付具は、携帯機器の外表面にシート状の装飾具を取り付ける装飾取付具であって、上記装飾具を取り付ける、複数の角部を有する載置面を覆い、該載置面との間で上記装飾具を保持する、透明性を有するカバー部と、該カバー部と一体に形成された、上記複数の角部と係合する係合部とを備え、上記係合部は、上記角部毎に独立して設けられ、各係合部は、上記角部の載置面の周方向に、該角部のアールの終端位置までまたは該終端位置を超えて形成されており、上記載置面に垂直な平面による断面において、上記角部が有するアール形状の上記載置面の対向面側への巻き込み部分に係合することを特徴としている。
【００２８】
したがって、携帯機器のデザイン性を損なうことなく、ユーザが自由に携帯機器の外観をカスタマイズし、容易に着せ替えすることが可能になるという効果を奏する。
【図面の簡単な説明】
【００２９】
【図１】本発明の一実施の形態である装飾取付具をノートパソコンに取り付けたときの、各部材の配置の一例を示す分解斜視図である。
【図２】図１に示した装飾取付具を装飾具を挿入して取り付けたときの状態を示す斜視図である。
【図３】図１に示した装飾取付具の三面図であり、（ａ）は上面図、（ｂ）は正面図、（ｃ）は側面図である。
【図４】図２のＡ−Ａ’線における矢視断面図である。
【図５】図１に示した装飾取付具の係合部がノートパソコンの蓋部に係合している状態を示す、蓋部の表示面側から見た要部拡大図である。
【図６】図５のＢ−Ｂ'線における断面を示す斜視図である。
【図７Ａ】図１に示した装飾取付具の係合部がノートパソコンの蓋部に係合している状態を示す、図２のＣ−Ｃ’線における矢視断面図の要部拡大図である。
【図７Ｂ】図５に示した装飾取付具１の他の例を示す要部拡大正面図である。
【図７Ｃ】図３（ｂ）に示した装飾取付具１の他の例を示す正面図である。
【図８】図１に示した装飾取付具の係合部がノートパソコンの蓋部に係合している状態を示す、蓋部の表示面側から見た要部拡大図である。
【図９】図８のＤ−Ｄ’線における断面を示す斜視図である。
【図１０】図１に示した装飾取付具の係合部がノートパソコンの蓋部に係合している状態を示す、図２のＣ−Ｃ’線における矢視断面図の要部拡大図である。
【図１１】図１に示した装飾取付具をノートパソコンから取り外すときに生じる装飾取付具の変形の様子を示す説明図である。
【図１２】図８に示した係合部１０の他の例を示す要部拡大図である。
【発明を実施するための形態】
【００３０】
本発明の一実施の形態について、図面に基づいて説明する。以下では、本発明の装飾取付具を、携帯機器としてのノートパソコンに取り付ける場合について説明する。
【００３１】
図１は、本実施の形態の装飾取付具１をノートパソコン３に取り付けたときの、各部材の配置の一例を示す分解斜視図である。
【００３２】
まず、装飾取付具１を取り付けるノートパソコン３の形状について説明する。本実施の形態では、筐体が二分割された半割り箱状体のノートパソコン３を一例として挙げる。ノートパソコン３は、分割される面の一つにヒンジが設けられ、開閉自在となっている。ここでは、分割した筐体のうち、内側に表示部が設けられ、ノートパソコンを通常使用時に上に位置する筐体を蓋部３１と称し、内側に入力部が設けられ、通常使用時に下に位置する筐体を本体部３２と称する。なお、ヒンジが設けられている側を蓋部３１の回動端と称する。また、回動端に対向する側であって、蓋部３１の開放時に、上下の筐体が分割面で完全に離れる側を蓋部３１の開放端と称する。
【００３３】
蓋部３１を構成する６つの面について説明する。表示部（図示せず）が設けられた、内側の面を表示面、表示面に対向する、外側の面を載置面３４と称する。装飾取付具１は、この載置面３４を被覆するように取り付けられる。そして、蓋部３１は、載置面３４（および表示面）の全周端で隣接し、蓋部３１の厚さ方向に延伸する取付面３６を４面有する。ここで、蓋部３１の厚さ方向とは、載置面３４を垂直に見たときの（視線）奥行き方向（図１のＺ方向）を指している。
【００３４】
載置面３４は、略平面であり、角部３５…には、それぞれアールが形成されている。すなわち、載置面３４が矩形の場合、四隅に角部３５…が設けられている。各角部３５の形状は同一でもそれぞれに異なっていてもよい。なお、載置面３４は、矩形に限定されない。
【００３５】
取付面３６は、厚さ方向にアールを有している。すなわち、蓋部３１において、載置面３４（表示面）を上面（底面）とした場合に、樽状に側面（取付面３６）が張り出した形状を有している。詳細には、取付面３６は、載置面３４との接続端から厚さ方向に進むにつれて、載置面３４の中心から最遠点まで遠ざかった後、最遠点から載置面３４の中心へ近づいて、表示面と接続端に至る。各取付面３６の各アールの形状は同一でもそれぞれに異なっていてもよい。例えば、開放端側の取付面３６のアールを小さく、回動端側の取付面３６のアールを大きくしてもよい。
【００３６】
なお、ノートパソコン３の上述の形状は一例であって、本発明を限定するものではない。すなわち、本発明の装飾取付具を取り付ける携帯機器の形状は、クラムシェル型に限定されない。例えば、半割箱状体の筐体がスライド式でもいい。蓋部３１以外でも、上述の形状（すなわち、載置面３４、取付面３６を有し、アールがある角部３５を有する形状）であれば、あらゆる筐体に取り付け可能である。
【００３７】
図１に示すとおり、装飾取付具１は、そのカバー部１１において、ノートパソコン３の載置面３４を覆うように配置される。さらに、装飾具２を、装飾取付具１のカバー部１１と、蓋部３１の載置面３４との間で保持する。
【００３８】
本実施の形態では、装飾具２は、シート状であり、蓋部３１に載置されたときに目に見える面（表面）に、ユーザの好みに合ったデザインが施されている。よって、カバー部１１は、載置面３４との間で保持した装飾具２のデザインが見えるように、透明素材よりなる。カバー部１１は、装飾取付具１を蓋部３１に取り付けたときに、カバー部１１と載置面３４との間に形成される空間に、装飾具２が収まる大きさであればよい。なお、装飾具２は、カバー部１１と載置面３４との間に収納できれば、面積および厚さは限定されない。また、材質も限定されないが、例えば、ユーザが任意の面積に成形可能な、紙、布などで実現することが好ましい。これにより、ユーザは、メーカが用意する市販のシートのみならず、好みのデザインが施されたシートを自身で成形して、あるいは、シートに好みのデザインを自ら施して、装飾具２として用いることができる。
【００３９】
図２は、装飾具２を挿入して装飾取付具１を取り付けたときのノートパソコン３の斜視図である。
【００４０】
装飾取付具１は、ノートパソコン３の蓋部３１の載置面３４を覆うカバー部１１と、角部３５…と係合する係合部１０とを含んで構成される。この係合部１０によって、ノートパソコン３から簡単にはずれないように、装飾取付具１をノートパソコン３に取り付けることが可能となる。
【００４１】
装飾取付具１は、透明性を有する樹脂材で形成されており、挿入した装飾具２の表面に施されたデザインを見ることができる。
【００４２】
上記構成によれば、装飾取付具１は、装飾具２を収容した状態で、装飾具２の絵柄を透過するので、装飾取付具１とノートパソコン３との間に挿入する装飾具２を入れ替えることによって、ユーザが自由にノートパソコン３の外観をカスタマイズすることが可能となる。
【００４３】
さらに、装飾取付具１の係合部１０は、ノートパソコン３の蓋部３１の角部３５と係合しているため、ネジ止めを行わずとも、ノートパソコン３を持ち運ぶときに、装飾取付具１が意図せず外れることを防止することができる。
【００４４】
また、装飾取付具１の係合部１０は、蓋部３１の角部３５のアール形状を利用して、係合しているのみであって、ネジ止めなどによって固定されていない。よって、ユーザは、樹脂材で形成された装飾取付具１の形状を変化させて、係合部１０と、角部３５との係合状態を緩めるだけで、装飾取付具１をノートパソコン３から簡単に取り外すことができる。したがって、装飾具２の出し入れが行いやすくなり、ノートパソコン３の着せ替えを容易に行うことが可能となる。
【００４５】
なお、装飾取付具１に適用する樹脂材としては、ポリカーボネートを採用することが好ましい。適度な弾性、可撓性と、強度とを有し、ノートパソコン３を傷つけずに載置面３４を保護することができる。その他、ＡＢＳ（Acrylonitrile Butadiene Styrene）、アクリル、塩化ビニール、あるいは、ポリカＡＢＳ、ポリカアクリルなどの合成樹脂を採用することもできる。
【００４６】
また、樹脂の特性により、図１に示した形状の装飾取付具１を成形した場合、載置面３４方向（Ｚ軸方向）に適度な反りが発生する。この反りが、載置面３４に載置した装飾具２を押圧して固定するので、ノートパソコン３を傾けても装飾具２が載置面３４上を移動しない。このことからも、装飾取付具１には樹脂材が好適である。
【００４７】
以下では、持ち運ぶときにははずれにくく、装飾具２を出し入れするときには容易にはずせる装飾取付具１の形状、および装飾取付具１の係合部１０の形状について、より詳細に説明する。
【００４８】
図３（ａ）（ｂ）（ｃ）は、それぞれ装飾取付具１の上面図、正面図、側面図である。
【００４９】
装飾取付具１は、ノートパソコン３の蓋部３１の載置面３４を覆うカバー部１１と、蓋部３１の角部３５と係合する係合部１０とを有する。係合部１０は、蓋部３１の四隅に形成されている角部３５…と係合するように、カバー部１１の四隅に設けられている。係合部１０は、載置面３４の周方向の幅が、少なくとも、載置面３４のアールを含む幅を有する。すなわち、係合部１０の側端１５（載置面３４の周方向の端部）の位置は、載置面３４のアールの終端位置と一致するか、あるいは、アールの終端位置を超えて、載置面３４の周の略直線部分に位置するように、定められている。
【００５０】
側端１５がアールの終端位置を超える程度、すなわち、係合部１０のはみ出す長さの許容範囲としては、例えば、カバー部１１の各辺において、係合部１０が設けられていない部分（以下、非係合部１３）を、各辺の３分の１以上確保することが望ましい。非係合部１３を各辺の３分の１以上確保することにより、装飾取付具１をノートパソコン３からユーザが意図的に取り外したいときに、取り外しの容易性を確保することが可能となる。
【００５１】
図３（ｂ）および図３（ｃ）に示すとおり、カバー部１１と係合部１０とは一体に成形されていることが望ましい。これにより、カバー部１１と係合部１０との間に負荷がかかって分離したり破損したりするリスクが低減する。係合部１０のＺ方向（蓋部３１の厚さ方向）の長さ（先端１６の位置）は、蓋部３１の厚みに合わせて適宜定められる。
【００５２】
図３（ａ）〜（ｃ）に示す例では、カバー部１１の非係合部１３は、４辺とも、各取付面３６のアールの略半分を巻き込むように統一して形成されているが、非係合部１３の形状はこれに限定されない。非係合部１３の形状は、ノートパソコン３の形状、想定される使用状況、運搬状況に応じて、適宜変更することが可能である。例えば、ノートパソコン３において、蓋部３１の回動端と開放端とで、アール形状が異なる場合に、装飾取付具１の非係合部１３の形状を、各取付面３６（回動端／開放端）のアール形状に合わせて、アールを全て巻き込むように定めてもよい。
【００５３】
また、装飾取付具１の非係合部１３は、蓋部３１の取付面３６を覆うように設けられている。非係合部１３を、取付面３６を覆うように形成することで、ノートパソコン３の蓋部３１開閉時に、ユーザが装飾取付具１の各辺に指をかけた状態で、装飾取付具１の非係合部１３の端と指とが接触することにより、指が傷つけられることを防止することができる。
【００５４】
図４は、図２におけるＡ−Ａ’線矢視断面図である。図２において、Ａ側の取付面３６が開放端側、Ａ’側の取付面３６が回動端側である。
【００５５】
上述したとおり、装飾取付具１は、カバー部１１と蓋部３１の載置面３４との間で、装飾具２を保持する。図４に示すとおり、カバー部１１の載置面３４側の面には、装飾具２を収容するための空間を、載置面３４との間で形成するように、凹部１４が設けられる。なお、凹部１４は、複数設けられてもよい。凹部１４の形状等、すなわち、載置面３４の表面における形、大きさ、位置、および、断面における厚さは、任意であるが、ノートパソコン３を傾けても装飾具２が移動しないように定められることが好ましい。
【００５６】
次に、図５〜図７Ｃを参照しながら、係合部１０の形状について説明する。
【００５７】
図５は、係合部１０が係合している状態の、蓋部３１の開放端側の角部３５ａ（図２）を、蓋部３１の表示面側から見た場合の要部拡大図である。
【００５８】
図５に示すとおり、係合部１０は、蓋部３１の角部３５において、表示面のアールにおける取付面３６を覆うように構成される。係合部１０の各側端１５は、少なくとも角部３５のアールの各終端位置３５１に及ぶように定められる。これにより、外すことを意図しない場合に簡単に装飾取付具１が外れてしまわないように、適度な係合度合いを維持することが可能となる。なお、側端１５が、終端位置３５１に及ばない場合には、係合の度合いが極めて弱くなり、取り外しの容易性のメリット以上に、意図しない場合にでも外れやすくなるというデメリットが大きくなるので好ましくない。
【００５９】
あるいは、側端１５は、係合部１０が角部３５と係合してさえいればよいので、角部３５の終端位置３５１を適宜の長さだけはみ出すように、定められてもよい。例えば、図５に示すとおり、側端１５の位置を、終端位置３５１よりはみ出した延伸位置３５２に定めることができる。このように、係合部１０は、終端位置３５１から延伸位置３５２まで延ばした延伸部１０１を含んでいてもよい。
【００６０】
係合部１０の延伸部１０１の長さの好ましい範囲としては、例えば、カバー部１１の各辺において、非係合部１３を、各辺の３分の１以上確保することが望ましい。非係合部１３を各辺の３分の１以上確保することにより、装飾取付具１をノートパソコン３からユーザが意図的に取り外したいときに、取り外しの容易性を維持することが可能となる。
【００６１】
図６は、図５におけるＢ−Ｂ'線断面の斜視図である。図６に示すとおり、係合部１０は、蓋部３１の角部３５において、取付面３６の厚さ方向（Ｚ方向）のアール形状を覆うように構成される。
【００６２】
上記構成によれば、係合部１０は、少なくとも角部３５の厚さ方向のアール形状と、その全周において密着することにより、角部３５と係合する。特に、係合部１０は、角部３５の厚さ方向のアール形状のうち、表示面側の巻き込み部分に密着することにより、角部３５と安定して係合することができる。これにより、ユーザが、通常使用時（開閉時／運搬時）に、非係合部１３に指をかけても装飾取付具１がノートパソコン３から外れることを防ぐことができる。
【００６３】
すなわち、ユーザが非係合部１３に指をかけることにより、カバー部１１の非係合部１３が、Ｚ方向（厚さ方向）のマイナス側に引っ張られると、非係合部１３の両端に連結している係合部１０の先端１６が取付面３６のアールの巻き込み部分に引っ掛かるため、係合状態がより強固になる。
【００６４】
これにより、ノートパソコン３の開閉時、運搬時には、装飾取付具１がノートパソコン３から外れることを防止することが可能となる。
【００６５】
さらに、係合部１０の角部３５に沿った係合の長さは、非係合部１３が、装飾取付具１の各辺の３分の１以上確保される程度に抑えられ、必要以上に蓋部３１の取付面３６と係合することを防いでいる。
【００６６】
上記構成によれば、ユーザは、装飾取付具１の取り外しを簡単に行うことができる。
【００６７】
図１１に示すとおり、ユーザが、装飾取付具１を意図的に取り外したいときには、装飾取付具１の係合部１０に指をかければよい。これにより、ユーザは、樹脂などの弾性素材で形成された装飾取付具１の係合部１０を容易に変形させることができ、係合部１０の取付面３６との係合状態を容易に緩和することができる。したがって、装飾取付具１の取り外しを容易に行って、装飾具２の出し入れをスムーズに行うことが可能となる。
【００６８】
図７Ａは、係合部１０が係合している状態の、蓋部３１の開放端側の角部３５ａ（図２）における、Ｃ−Ｃ’線矢視断面拡大図である。上述の例では、非係合部１３のＺ方向における高さは、係合部１０のＺ方向における高さと段差が生じるように、係合部１０の高さより低く定められている。しかし、例えば、図７Ｂに示すとおり、係合部１０の高さから非係合部１３の高さまで、高さが滑らかに移行する境界部１３１を設けてもよい。あるいは、図７Ｃに示すとおり、境界部１３１を非係合部１３全体に設けて、当該係合部１０と、該非係合部１３をはさんで設けられた係合部１０との間の段差をすべて取り除いてもよい。
【００６９】
これにより、上述の図１１に示すように、ユーザが装飾取付具１を取り外す際に、装飾取付具１の角部を変形させることで生じる負荷によって、係合部１０と非係合部１３との境目にある上記段差部分に亀裂が入ることを防止することが可能となる。
【００７０】
なお、図３（ａ）〜（ｃ）に示す例では、カバー部１１の四隅に設けられた４つの係合部１０の係合形状、および、角部３５に沿った係合の長さは、上下左右対称に統一して形成されているが、これに限定されない。係合部１０の形状は、ノートパソコン３の形状、想定される使用状況、運搬状況に応じて、適宜変更することが可能である。例えば、ノートパソコン３の蓋部３１において、回動端と開放端とで、係合部１０の幅や長さを変えることで、装飾取付具１との係合度合いを異ならせることが可能である。
【００７１】
より詳細には、ノートパソコン３を持ち運びするとき、ユーザは、図２に示す状態のノートパソコン３において、ヒンジが設けられた回動端側（図２においてＡ側の取付面３６）に手をかけて保持することが一般的に想定される。
【００７２】
このように持ち運びされるときに、装飾取付具１がノートパソコン３からはずれることは、最も避けなければならない事態である。そこで、このような事態を避けるために、蓋部３１の回動端側の２つの角部３５ｂと係合する係合部１０の係合の長さを、開放端側の２つの角部３５ａと係合するの係合部１０と比べて長く形成してもよい。係合部１０の長さが長いほど、はずしたいときに外れにくくなるが、持ち運び時にはずれる虞も少なくなる。
【００７３】
装飾具２を出し入れしたいときには、少なくとも隣り合う２つの角部３５で、係合部１０が容易に外れればよいので、開放端側の２つの角部３５ａの係合の長さを、上述のようにユーザがはずしたいときにはずれやすい長さに定めればよい。
【００７４】
上記構成によれば、係合部１０を、回動端側の２つの角部３５ｂにおいてはずれにくく、開放側の角部３５ａにおいてはずしやすいように、装飾取付具１をノートパソコン３に取り付けることが可能となる。
【００７５】
上述の例に限らず、ユースシーンに併せて、回動端と開放端とで、係合部１０の幅や長さを任意に変更することが可能である。具体的には、ノートパソコン３が、１回の利用時間が短時間で何度も開閉されるような環境にある場合、開放端側において、蓋部３１が頻繁に開閉されても、開閉時に装飾取付具１が簡単に外れないことが好ましい。そこで、上述の例とは逆に、開放端側の各角部３５の係合の長さを長めに設定して外れにくくし、回動端側の各角部３５において、係合の長さを取り外しやすい長さに調整してもよい。
【００７６】
以下図８〜図１０を参照しながら、開放端側の２つの角部とは異なる係合度合いの、回動端側の２つの角部に係合する係合部１０の形状について説明する。
【００７７】
図８は、係合部１０が係合している状態の、蓋部３１の回動端側の角部３５ｂ（図２）を、蓋部３１の表示面側から見た場合の要部拡大図である。
【００７８】
図９は、図８におけるＤ−Ｄ’線断面の斜視図である。
【００７９】
図１０は、係合部１０が係合している状態の、蓋部３１の回動端側の角部３５ｂ（図２）における、Ｃ−Ｃ’線矢視断面の要部拡大図である。
【００８０】
図１０に示すとおり、回動端側の係合部１０は、側端１５が載置面３４に沿ったアール形状を超えて、その終端位置が延長されている。このように、係合部１０を、角部３５のアールよりも長く設けることにより、回動端側において係合状態をより強固に維持することが可能となり、持ち運び時に装飾取付具１がはずれて、ノートパソコン３が落下することを防止することができる。
【００８１】
反対に、回動端側の角部３５だけを外しやすいようにしたい場合に、上述の例では、角部の周方向における係合部１０の係合の長さを調節していたが、これに限らず、係合部１０の蓋部３１表示面に沿った厚み（すなわち、係合部１０の幅Ｗ）を調節してもよい。
【００８２】
図１２は、図８に示した係合部１０の他の例を示す要部拡大図である。
【００８３】
図１２に示すとおり、蓋部３１の回動端側の取付面３６ａを覆う係合部１０の幅を、蓋部３１の側端の取付面３６ｂを覆う係合部１０の幅よりも短くすることにより、巻き込みの強度を弱めて、回動端側から装飾取付具１を取り外しやすいように装飾取付具１を構成することが可能である。
【００８４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８５】
本発明の装飾取付具は、携帯機器に取り付けることができ、携帯機器の外観をユーザが自由にかつ容易にカスタマイズするための着せ替えカバーとして利用することができる。また、携帯機器を保護する保護カバーとしても利用できる。
【符号の説明】
【００８６】
１    装飾取付具
２    装飾具
３    ノートパソコン（携帯機器）
１０    係合部
１１    カバー部
１３    非係合部
１４    凹部
１５    側端
１６    先端
３１    蓋部
３２    本体部
３４    載置面
３５    角部
３５ａ  角部
３５ｂ  角部
３６    取付面
３６ａ  取付面
３６ｂ  取付面
１０１    延伸部
１３１    境界部
３５１    終端位置
３５２    延伸位置
【図１】
2010226203.tif 000003
【図２】
2010226203.tif 000004
【図３】
2010226203.tif 000005
【図４】
2010226203.tif 000006
【図５】
2010226203.tif 000007
【図６】
2010226203.tif 000008
【図７Ａ】
2010226203.tif 000009
【図７Ｂ】
2010226203.tif 000010
【図７Ｃ】
2010226203.tif 000011
【図８】
2010226203.tif 000012
【図９】
2010226203.tif 000013
【図１０】
2010226203.tif 000014
【図１１】
2010226203.tif 000015
【図１２】
2010226203.tif 000016